(57)【要約】【課題】  サービス提供者の経費節減及びプレイヤーの快適なゴルフプレイの実現を図る。【解決手段】  ＧＰＳ衛星、ＧＰＳ擬似衛星、及び運輸多目的衛星（MTSAT:Multi-functional Transport Satellite）からの位置情報によって、携帯端末がゴルフコース情報及び顧客情報を入力し、サーバに送信する手段と、サーバに予め保存されているゴルフコース情報及び顧客情報を、最新情報に更新する手段と、サーバが、更新されたゴルフコース情報及び顧客情報を携帯端末へ転送する手段と、携帯端末が、転送されたゴルフコース情報及び顧客情報を表示する手段と、サーバが、顧客情報の内容の登録、修正、削除を行う手段と、ゴルフコース内で、携帯端末が位置情報を元に現在位置を計算し、算出された現在位置に関するコース情報を表示する手段と、携帯端末に表示される現在位置から、目標とする位置を設定し、現在位置から目標位置までの距離を計算し表示する手段と、携帯端末に蓄積したゴルフコース情報及び顧客情報をサーバに更新する手段とを有する。【選択図】  図１
2005052501.tif 000002
【特許請求の範囲】
【請求項１】
ＧＰＳ衛星及びＧＰＳ擬似衛星、もしくは、ＧＰＳ衛星及び運輸多目的衛星（MTSAT:Multi-functional Transport Satellite）と、
前記ＧＰＳ衛星及び前記ＧＰＳ擬似衛星、もしくは、前記ＧＰＳ衛星及び前記運輸多目的衛星（MTSAT:Multi-functional Transport Satellite）により送信される、位置を示す位置情報によって現在位置を正確に計算する携帯端末と、
前記携帯端末と通信を行うサーバとを有するゴルフプレイ情報提供システムであって、
前記携帯端末が、前記位置情報を元に、ゴルフ場のコースに関する情報であるゴルフコース情報を入力し、前記サーバに送信するゴルフコース情報送信手段と、
前記携帯端末が、プレイヤーである顧客に関する情報である顧客情報を入力し、前記サーバに送信する顧客情報送信手段と、
前記サーバに予め保存されているゴルフコース情報を、受信した最新の前記ゴルフコース情報にアップデートする前記ゴルフコース情報更新手段と、
前記サーバに予め保存されている顧客情報を、受信した最新の前記顧客情報にアップデートする顧客情報更新手段と、
前記サーバが、アップデートされた前記ゴルフコース情報及び前記顧客情報を前記携帯端末へ転送する情報転送手段と、
前記携帯端末が、前記サーバから転送された前記ゴルフコース情報及び前記顧客情報を表示する情報表示手段と、
前記サーバが、前記携帯端末に転送された前記顧客情報の内容の登録、修正、及び削除を行う顧客情報登録変更手段と、
ゴルフコース内において、前記携帯端末が、前記位置情報を元に現在位置を計算し、算出された現在位置に関するゴルフコース情報を表示する現在位置情報表示手段と、
前記ゴルフコース内において、前記位置情報を元に前記携帯端末上に表示されている現在位置から、目標とする位置を設定することにより、前記現在位置から前記目標位置までの距離を計算し表示する距離測定手段と、
前記携帯端末に蓄積された前記ゴルフコース情報及び前記顧客情報を前記サーバにアップデートする蓄積情報更新手段と、
を有することを特徴とするゴルフプレイ情報提供システム。
【請求項２】
前記ゴルフコース情報は、天気や風を示す自然情報、使用ティグランド、修正地、及び当日のピンの位置、ティーショットの位置、ホールの位置のうち少なくとも１つを含むことを特徴とする請求項１記載のゴルフプレイ情報提供システム。
【請求項３】
前記顧客情報は、プレイヤー名、ハンディキャップ、スコア、イベントホール、使用クラブ、及び前回結果のうち少なくとも１つを含むことを特徴とする請求項１記載のゴルフプレイ情報提供システム。
【請求項４】
前記情報表示手段は、前記ゴルフコース情報を２次元表示または３次元表示のいずれか一方で表示することを特徴とする請求項１記載のゴルフプレイ情報提供システム。
【請求項５】
前記情報表示手段は、前記ゴルフコース情報を標準表示または拡大表示のいずれか一方で表示することを特徴とする請求項１または４記載のゴルフプレイ情報提供システム。
【請求項６】
前記プレイヤーのプレイ軌跡を含むラウンド情報を前記サーバに保存されている前記顧客情報にアップデートするラウンド情報更新手段をさらに有することを特徴とする請求項１記載のゴルフプレイ情報提供システム。
【請求項７】
前記ラウンド情報は、前記サーバに保存されている前記顧客情報から出力されることを特徴とする請求項１または６記載のゴルフプレイ情報提供システム。
【請求項８】
ＧＰＳ衛星及びＧＰＳ擬似衛星、もしくは、ＧＰＳ衛星及び運輸多目的衛星（MTSAT:Multi-functional Transport Satellite）と、
前記ＧＰＳ衛星及び前記ＧＰＳ擬似衛星、もしくは、前記ＧＰＳ衛星及び前記運輸多目的衛星（MTSAT:Multi-functional Transport Satellite）により送信される、位置を示す位置情報によって現在位置を正確に計算する携帯端末と、
前記携帯端末と通信を行うサーバとを有するゴルフプレイ情報提供システムで用いられるゴルフプレイ情報提供方法であって、
前記携帯端末が、前記位置情報を元に、ゴルフ場のコースに関する情報であるゴルフコース情報を入力し、前記サーバに送信するゴルフコース情報送信工程と、
前記携帯端末が、プレイヤーである顧客に関する情報である顧客情報を入力し、前記サーバに送信する顧客情報送信工程と、
前記サーバに予め保存されているゴルフコース情報を、受信した最新の前記ゴルフコース情報にアップデートする前記ゴルフコース情報更新工程と、
前記サーバに予め保存されている顧客情報を、受信した最新の前記顧客情報にアップデートする顧客情報更新工程と、
前記サーバが、アップデートされた前記ゴルフコース情報及び前記顧客情報を前記携帯端末へ転送する情報転送工程と、
前記携帯端末が、前記サーバから転送された前記ゴルフコース情報及び前記顧客情報を表示する情報表示工程と、
前記サーバが、前記携帯端末に転送された前記顧客情報の内容の登録、修正、及び削除を行う顧客情報登録変更工程と、
ゴルフコース内において、前記携帯端末が、前記位置情報を元に現在位置を計算し、算出された現在位置に関するゴルフコース情報を表示する現在位置情報表示工程と、
前記ゴルフコース内において、前記位置情報を元に前記携帯端末上に表示されている現在位置から、目標とする位置を設定することにより、前記現在位置から前記目標位置までの距離を計算し表示する距離測定工程と、
前記携帯端末に蓄積された前記ゴルフコース情報及び前記顧客情報を前記サーバにアップデートする蓄積情報更新工程と、
を有することを特徴とするゴルフプレイ情報提供方法。
【請求項９】
前記プレイヤーのプレイ軌跡を含むラウンド情報を前記サーバに保存されている前記顧客情報にアップデートするラウンド情報更新工程をさらに有することを特徴とする請求項８記載のゴルフプレイ情報提供方法。
【発明の詳細な説明】
【技術分野】
【０００１】
本発明は、ゴルフ場のコースにおいてプレイヤーにプレイに係る各種情報を提供するゴルフプレイ情報提供システム及びゴルフプレイ情報提供方法に関する。
【背景技術】
【０００２】
ゴルフプレイにおいては、コースのレイアウトや距離の正確さが重要なキーとなるが、今まではティグランドにあるコース絵とヤーテージ(距離目安表示杭)による目測、もしくはキャディのアドバイスで判断していた。多くのプレイヤーは距離を誤ったり、池やバンカーといった予想もしないコースレイアウトに悩まされたりする経験を持つ。
【０００３】
上記のようなゴルフプレイにかかる問題を解決するための従来技術例として、ネットワークに接続されたデータベースに複数のゴルフ場のＧＰＳ用地図データを登録し、ユーザ端末がデータベースから所望のゴルフ場のＧＰＳ用地図データをダウンロードする「ＧＰＳ用ゴルフ場地図データの収集及び配布ビジネスの方法」がある（例えば、特許文献１参照）。また、ＧＰＳから現在位置座標（ボールの位置）を取得し、ＰＤＡに表示されたコースマップ上の目標となる位置をポイントすることにより位置座標を取得し、両座標から現在のボールの位置と目標位置との正確な距離を得る「情報処理システム」がある（例えば、特許文献２）。
【特許文献１】特開２００１−３１９１５４号公報
【特許文献２】特開２００２−７８６号公報
【発明の開示】
【発明が解決しようとする課題】
【０００４】
しかしながら、上記特許文献１記載の発明は、プレイヤーが端末で取得できる実際のゴルフプレイに係る情報が、予めデータベース登録されているゴルフ場又は各ゴルフコースの地形等を表す不変的な情報に限られるので、例えばコースにおける自然情報（天気や風、グラウンドの状態）等を取得できず、このような時々刻々と変化する自然情報をリアルタイムにプレイに反映させることはできないので、プレイヤーにとっては状況に応じたプレイが難しいという問題がある。また、上記特許文献２記載の発明は、ボールの位置と目標位置との正確な距離を得ることはできるが、コースの地形や自然情報等、実際のゴルフプレイに関する情報を得ることはできない。また、ＧＰＳ衛星のみでは、正確な位置情報を得ることができない。
【０００５】
本発明は、上記事情に鑑みてなされたものであり、ＧＰＳに加えＧＰＳ擬似衛星をゴルフコースに配置することや、もしくはＧＰＳ衛星及び、運輸多目的衛星（MTSAT:Multi-functional Transport Satellite）を利用することにより、プレイヤーの正確な位置を表示するとともに、目標位置までの正確な距離も表示し、端末からコースにおける情報を入力することで、時々刻々と変化する自然情報をリアルタイムにゴルフプレイに反映させることができ、また、スコア表示機能によりスコアカードや鉛筆といった消耗品の浪費を排除するとともに、プレイ後のプレイヤーの軌跡を表示、保存及び印刷することでラウンドの記憶を補助し、正確なログデータを作成することにより、サービス提供者と使用者が必要としていた情報を活用でき、充分な満足を使用者に提供できるゴルフプレイ情報提供システム及びゴルフプレイ情報提供方法を提供することを目的とする。
【課題を解決するための手段】
【０００６】
かかる目的を達成するために、請求項１記載の発明は、ＧＰＳ衛星及びＧＰＳ擬似衛星、もしくは、ＧＰＳ衛星及び運輸多目的衛星（MTSAT:Multi-functional Transport Satellite）と、ＧＰＳ衛星及びＧＰＳ擬似衛星、もしくは、ＧＰＳ衛星及び運輸多目的衛星（MTSAT:Multi-functional Transport Satellite）から送信される、現在位置を示す位置情報によって携帯端末の現在位置を正確に計算する携帯端末と、携帯端末と通信を行うサーバとを有するゴルフプレイ情報提供システムであって、携帯端末が、位置情報を元に、ゴルフ場のコースに関する情報であるゴルフコース情報を入力し、サーバに送信するゴルフコース情報送信手段と、携帯端末が、プレイヤーである顧客に関する情報である顧客情報を入力し、サーバに送信する顧客情報送信手段と、サーバに予め保存されているゴルフコース情報を、受信した最新のゴルフコース情報にアップデートするゴルフコース情報更新手段と、サーバに予め保存されている顧客情報を、受信した最新の顧客情報にアップデートする顧客情報更新手段と、サーバが、アップデートされたゴルフコース情報及び顧客情報を携帯端末へ転送する情報転送手段と、携帯端末が、サーバから転送されたゴルフコース情報及び顧客情報を表示する情報表示手段と、サーバが、携帯端末に転送された顧客情報の内容の登録、修正、及び削除を行う顧客情報登録変更手段と、ゴルフコース内において、携帯端末が、位置情報を元に現在位置を計算し、算出された現在位置に関するゴルフコース情報を表示する現在位置情報表示手段と、ゴルフコース内において、位置情報を元に携帯端末上に表示されている現在位置から、目標とする位置を設定することにより、現在位置から目標位置までの距離を計算し表示する距離測定手段と、携帯端末に蓄積されたゴルフコース情報及び顧客情報を前記サーバにアップデートする蓄積情報更新手段と、を有することを特徴とする。
【０００７】
請求項２記載の発明は、請求項１記載の発明において、ゴルフコース情報は、天気や風を示す自然情報、使用ティグランド、修正地、及び当日のピンの位置、ティーショットの位置、ホールの位置のうち少なくとも１つを含むことを特徴とする。
【０００８】
請求項３記載の発明は、請求項１記載の発明において、顧客情報は、プレイヤー名、ハンディキャップ、スコア、イベントホール、使用クラブ、及び前回結果のうち少なくとも１つを含むことを特徴とする。
【０００９】
請求項４記載の発明は、請求項１記載の発明において、情報表示手段は、ゴルフコース情報を２次元表示または３次元表示のいずれか一方で表示することを特徴とする。
【００１０】
請求項５記載の発明は、請求項１または４記載の発明において、情報表示手段は、ゴルフコース情報を標準表示または拡大表示のいずれか一方で表示することを特徴とする。
【００１１】
請求項６記載の発明は、請求項１記載の発明において、プレイヤーのプレイ軌跡を含むラウンド情報をサーバに保存されている顧客情報にアップデートするラウンド情報更新手段をさらに有することを特徴とする。
【００１２】
請求項７記載の発明は、請求項１または６記載の発明において、ラウンド情報は、サーバに保存されている顧客情報から出力されることを特徴とする。
【００１３】
請求項８記載の発明は、ＧＰＳ衛星及びＧＰＳ擬似衛星、もしくは、ＧＰＳ衛星及び運輸多目的衛星（MTSAT:Multi-functional Transport Satellite）と、ＧＰＳ衛星及びＧＰＳ擬似衛星、もしくは、ＧＰＳ衛星及び運輸多目的衛星（MTSAT:Multi-functional Transport Satellite）から送信される、位置を示す位置情報によって現在位置を正確に計算する携帯端末と、携帯端末と通信を行うサーバとを有するゴルフプレイ情報提供システムで用いられるゴルフプレイ情報提供方法であって、携帯端末が、位置情報を元に、ゴルフ場のコースに関する情報であるゴルフコース情報を入力し、サーバに送信するゴルフコース情報送信工程と、携帯端末が、プレイヤーである顧客に関する情報である顧客情報を入力し、サーバに送信する顧客情報送信工程と、サーバに予め保存されているゴルフコース情報を、受信した最新のゴルフコース情報にアップデートするゴルフコース情報更新工程と、サーバに予め保存されている顧客情報を、受信した最新の顧客情報にアップデートする顧客情報更新工程と、サーバが、アップデートされたゴルフコース情報及び顧客情報を携帯端末へ転送する情報転送工程と、携帯端末が、サーバから転送されたゴルフコース情報及び顧客情報を表示する情報表示工程と、サーバが、携帯端末に転送された顧客情報の内容の登録、修正、及び削除を行う顧客情報登録変更工程と、ゴルフコース内において、携帯端末が、位置情報を元に現在位置を計算し、算出された現在位置に関するゴルフコース情報を表示する現在位置情報表示工程と、ゴルフコース内において、位置情報を元に携帯端末上に表示されている現在位置から、目標とする位置を設定することにより、現在位置から目標位置までの距離を計算し表示する距離測定工程と、携帯端末に蓄積されたゴルフコース情報及び顧客情報をサーバにアップデートする蓄積情報更新工程と、を有することを特徴とする。
【００１４】
請求項９記載の発明は、請求項８記載の発明において、プレイヤーのプレイ軌跡を含むラウンド情報をサーバに保存されている顧客情報にアップデートするラウンド情報更新工程をさらに有することを特徴とする。
【発明の効果】
【００１５】
本発明の第１の効果は、サービス提供者の経費節減を実現できる。サービス提供者はこのシステムを使用することにより、専属キャディ雇用費用を削減できる。また、紙製スコアカード、鉛筆などの消費資源が不要となる。
【００１６】
本発明の第２の効果は、サービス提供者に差別化という付加価値がつくことにある。メンバもしくは希望者のプレイ履歴を保存することにより、次回以降に役立つ情報を提供することが可能となる。またコース軌跡を保存することにより、リピータ確保につながる。サービス提供者にとっては、顧客獲得のキラーサービスとなる。
【００１７】
本発明の第３の効果は、携帯端末を用いてコースやホールにおける自然情報等の最新情報を取得することができるので、その最新情報をリアルタイムにプレイに反映させることができ、プレイヤーはより快適にゴルフプレイを楽しむことができる。
【発明を実施するための最良の形態】
【００１８】
以下、本発明の実施形態について添付図面を参照して詳細に説明する。本発明は、ＧＰＳシステム及びＧＰＳ擬似衛星システム及びＭＴＳＡＴ（Multi-functional Transport Satellite）を利用して、使用者の持ち運ぶ位置計算表示端末を捕捉し、使用者に情報を提供するものである。
【００１９】
図１において、携帯端末である位置計算表示端末１００は、ＧＰＳ衛星１１０もしくはＣＰＳ擬似衛星１２０もしくはＭＴＳＡＴ１３０より送られる位置に関する情報を元に、使用ティグランド、修正地、ピンの位置等を入力する。本システムは、サーバであるパーソナルコンピュータ２００上のデータベースに保存されているゴルフコースの位置情報２１０へ、位置計算表示端末１００を接続することにより、最新情報（天気や風を示す自然情報、使用ティグランド、当日のピンの位置等）をアップデートする。顧客の情報（プレイヤー、ハンディキャップ、スコア、イベントホール、使用クラブ、前回結果等）をパーソナルコンピュータ２００にある顧客情報２２０にアップデートする。パーソナルコンピュータ２００上のデータベースに保存されているゴルフコースの位置情報２１０と顧客情報２２０を位置計算表示端末１００へ転送する。位置計算表示端末１００は、パーソナルコンピュータ２００から転送された該ゴルフコースの位置情報２１０と顧客情報２２０を表示する。パーソナルコンピュータ２００より、位置計算表示端末１００に転送された顧客情報にデータの登録、修正、削除する。位置計算表示端末１００をコース内に持ち出すことにより、位置計算表示端末１００は、ＧＰＳ衛星１１０もしくはＧＰＳ擬似衛星１２０もしくはＭＴＳＡＴ１３０より送られる位置に関する情報を元に現在位置を計算し、また、位置表示端末１００に自動的に２次元もしくは３次元でその位置に関するコースやグリーンの情報を表示する。位置計算表示端末１００をコース内に持ち出すことにより、ＧＰＳ衛星１１０もしくはＧＰＳ擬似衛星１２０もしくはＭＴＳＡＴ１３０より送られる位置に関する情報を元に位置計算表示端末１００上に表示されている現在位置から、目標とする位置を設定することにより距離を計算し表示する。位置計算表示端末１００に蓄積されたデータをパーソナルコンピュータ２００にアップデートする。
【実施例１】
【００２０】
まず、本発明の実施例１の構成について説明する。図１を参照すると、本発明の実施例１である、ＧＰＳ衛星及びＧＰＳ擬似衛星及びＭＴＳＡＴの利用によるゴルフプレイ情報提供システム及びゴルフプレイ情報提供方法は、位置計算表示端末１００がパーソナルコンピュータ２００とデータ転送が可能であることとともに、位置計算表示端末１００がＧＰＳ衛星１１０、及びＧＰＳ擬似衛星１２０、及びＭＴＳＡＴ１３０の電波圏内で作動する構成となる。ここで、位置計算表示端末は、ＧＰＳからの位置情報を取得して現在位置を算出でき、かつインターネット接続を可能とするものであれば、本実施例のシステム専用の端末でも良いし、一般に普及している携帯型ＰＣ、ＰＤＡ、携帯電話等の端末でも良い。
【００２１】
位置計算表示端末１００は、パーソナルコンピュータ２００から転送された最新の地図情報や顧客情報を表示すると共に、ＧＰＳ衛星１１０、及びＧＰＳ擬似衛星１２０、及びＭＴＳＡＴ１３０の情報から使用者の位置を正確に計測する装置である。位置計算表示端末１００は、パーソナルコンピュータ２００に接続し、最新にアップデートされた情報をダウンロードする。また、パーソナルコンピュータ２００から転送された情報に修正や更新をかけられ、修正や新たに登録した情報をパーソナルコンピュータ２００へアップロードする。また、パーソナルコンピュータ２００からダウンロードされた地図情報にＧＰＳ衛星１１０、及びＧＰＳ擬似衛星１２０、及びＭＴＳＡＴ１３０の情報から現在位置や移動先位置の情報を表示でき、パーソナルコンピュータ２００からダウンロードされた地図情報をもとに、ＧＰＳ衛星１１０、及びＧＰＳ擬似衛星１２０、及びＭＴＳＡＴ１３０の情報から測位したい距離を計算し、かつ表示する。さらに、ＧＰＳ衛星１１０、及びＧＰＳ擬似衛星１２０、及びＭＴＳＡＴ１３０の情報をもとに、使用者の軌跡を記録する機能を備える。
【００２２】
次に、図１、２を参照して本実施例１の第１の動作について詳細に説明する。図２を参照すると、グリーンキーパは、隠しコマンドにより、位置計算表示端末１００をコース情報入力設定に切り替える。グリーンキーパがその日のホールの位置、ティーショットの位置などのホール情報を、各ホールの設定したい位置で位置計算表示端末１００の画面上に入力する（ステップＡ１）。サービス提供者は、グリーンキーパによって入力された位置計算表示端末１００を、パーソナルコンピュータ２００に接続する（ステップＡ２）。サービス提供者は、パーソナルコンピュータ２００上の該ゴルフコースの位置情報２１０へ最新情報をアップデートする（ステップＡ３）。
【００２３】
図２を参照すると、サービス提供者は、位置計算表示端末１００を、パーソナルコンピュータ２００に接続する（ステップＡ４）。パーソナルコンピュータ２００は、該ゴルフコースの位置情報２１０の情報と顧客情報２２０を位置計算表示端末１００へダウンロードする（ステップＡ５）。位置計算表示端末１００はデフォルト画面を表示する（ステップＡ６）。プレイヤーがコース上に立った地点にて、位置計算表示端末１００は、ＧＰＳ衛星１１０もしくはＧＰＳ擬似衛星１２０、もしくはＭＴＳＡＴ１３０より送られる位置に関する情報を元に、自動的にデフォルト画面から、そのコース情報を二次元、または三次元にて表示する（ステップＡ７）。
【００２４】
位置計算表示端末１００は、コース上の予め定められた位置からのスルーザグリーンを表示することができる。プレイヤーはカーソルにてポイントを選択し、表示ボタンを押下する（ステップＡ８）。位置計算表示端末１００は、ＧＰＳ衛星１１０もしくは擬似衛星１２０、もしくはＭＴＳＡＴ１３０より送られる位置に関する情報を元に、選択された場所からの風景をプレイヤーの指定方向に二次元、又は、三次元にて標準表示、もしくは拡大表示する（ステップＡ９）。また、プレイヤーがグリーンアンジュレーションを確認したい場合、カーソルを表示させたいグリーンに移動させ、表示ボタンを押下する（ステップＡ１０）。位置計算表示端末１００は、グリーンアンジュレーションを画面上に表示する（ステップＡ１１）。
【００２５】
次に、図３を参照して本実施例１の第２の動作について説明する。図３を参照すると、プレイヤーが距離を計測したい場合、現在位置から測定したい位置までカーソルを移動させポイントするか、測定したい位置間をそれぞれポイントし、距離測定ボタン押下する（ステップＢ１）。位置計算表示端末１００は、ＧＰＳ衛星１１０もしくは擬似衛星１２０、もしくはＭＴＳＡＴ１３０より送られる位置に関する情報を元に、自動的に距離を測定し、位置計算機表示端末１００の画面上に距離を表示する（ステップＢ２）。
【実施例２】
【００２６】
次に、本発明の第２の実施例について図４を参照して詳細に説明する。プレイヤーは、位置計算表示端末１００のスコアボタンを押下する（ステップＣ１）。位置計算表示端末１００は、４人分のフォーマットを画面に表示する（ステップＣ２）。プレイヤーは対象フォーマットをスクロールし、選択する（ステップＣ３）。位置計算表示端末１００は、文字入力画面を表示する（ステップＣ４）。プレイヤーは文字入力機能によってプレイヤー名を入力したり、各ホールのスコアの入力をしたりする（ステップＣ５）。入力後、プレイヤーは、スコアボタンを押下する（ステップＣ６）。位置計算表示端末１００は、ＧＰＳ衛星１１０もしくはＧＰＳ擬似衛星１２０、もしくはＭＴＳＡＴ１３０より送られる位置に関する情報を元に、自動的にそのコース情報を二次元、または三次元にて表示する（ステップＣ７）。
【実施例３】
【００２７】
次に、本発明の第３の実施例について図５を参照して詳細に説明する。位置計算表示端末１００を、パーソナルコンピュータ２００に接続する（ステップＤ１）。位置計算表示端末１００を接続することによりパーソナルコンピュータ２００上の顧客情報２２０へプレイヤーのプレイ軌跡を含むラウンド情報をアップデートする（ステップＤ２）。サービス提供者は必要に応じてパーソナルコンピュータ２００によって、プレイヤーの最新プレイ軌跡を、顧客情報２２０の情報から出力する（ステップＤ３）。
【産業上の利用可能性】
【００２８】
本発明は、ＧＰＳシステム及びＧＰＳ擬似衛星システム、又はＧＰＳシステム及び運輸多目的衛星ＭＴＳＡＴ（Multi-functional Transport Satellite）を利用して、使用者の持ち運ぶ位置計算表示端末を捕捉し、使用者にゴルフプレイに関する情報を提供できる。
【図面の簡単な説明】
【００２９】
【図１】本発明の実施形態のシステム構成を示す概略図である。
【図２】本発明の実施例１の第１の処理動作を示すフローチャートである。
【図３】本発明の実施例１の第２の処理動作を示すフローチャートである。
【図４】本発明の実施例２の処理動作を示すフローチャートである。
【図５】本発明の実施例３の処理動作を示すフローチャートである。
【符号の説明】
【００３０】
１００    位置計算表示端末
１１０    ＧＰＳ衛星
１２０    ＧＰＳ擬似衛星
１３０    運輸多目的衛星（MTSAT:Multi-functional Transport Satellite）
２００    ＰＣ
２１０    マップ（二次元、三次元）
２２０    顧客情報
【図１】
2005052501.tif 000003
【図２】
2005052501.tif 000004
【図３】
2005052501.tif 000005
【図４】
2005052501.tif 000006
【図５】
2005052501.tif 000007